(57)【特許請求の範囲】
【請求項１】
通行者が携帯する改札情報を無線によって送受信する無線式記録媒体との間で無線通信を行うための第１の通信手段と、
この第１の通信手段により受信した改札情報に基づき、上記無線式記録媒体を回収するか否かを判定する第１の判定手段と、
上記第１の通信手段により受信した改札情報に基づき改札処理を行うことにより、上記通行者の通行可否を決定する通行可否決定手段と、
上記第１の判定手段により上記無線式記録媒体の回収が判定された際に、上記無線式記録媒体が取込まれる取込手段と、
この取込手段の内部に設けられ、上記取込手段により取込まれた無線式記録媒体との間で無線通信を行うための第２の通信手段と、
上記第２の通信手段により受信した改札情報に基づき、上記回収と判定された無線式記録媒体か否かを判定する第２の判定手段と、
この第２の判定手段により上記回収と判定された無線式記録媒体を判定した際に、上記取込手段により取込まれた無線式記録媒体を回収する回収手段と、
を具備したことを特徴とする自動改札装置。
【請求項２】
通行者が携帯する改札情報を無線によって送受信する無線式記録媒体との間で無線通信を行うための第１の通信手段と、
この第１の通信手段により受信した改札情報に基づき、上記無線式記録媒体を回収するか否かを判定する第１の判定手段と、
上記第１の通信手段により受信した改札情報に基づき改札処理を行うことにより、上記通行者の通行可否を決定する通行可否決定手段と、
上記第１の判定手段により上記無線式記録媒体の回収が判定された際に、上記無線式記録媒体が取込まれる取込手段と、
この取込手段の内部に設けられ、上記取込手段により取込まれた無線式記録媒体との間で無線通信を行うための第２の通信手段と、
上記第２の通信手段により受信した改札情報に基づき、上記回収と判定された無線式記録媒体か否かを判定する第２の判定手段と、
この第２の判定手段により上記回収と判定された無線式記録媒体を判定した際に、上記取込手段により取込まれた無線式記録媒体を回収する回収手段と、
上記第２の判定手段により上記回収でないと判定された無線式記録媒体を判定した際に、上記取込手段により取込まれた無線式記録媒体を返却する返却手段と、
を具備したことを特徴とする自動改札装置。
【請求項３】
通行者が携帯する改札情報を無線によって送受信する無線式記録媒体との間で無線通信を行うための第１の通信手段と、
この第１の通信手段で受信した改札情報に基づき改札処理を行うことにより、上記通行者の通行可否を決定する第１の通行可否決定手段と、
上記無線式記録媒体を取込む取込手段と、
この取込手段の内部に設けられ、上記取込手段により取込まれた無線式記録媒体との間で無線通信を行うための第２の通信手段と、
この第２の通信手段で受信した改札情報に基づき改札処理を行うことにより、上記通行者の通行可否を決定する第２の通行可否決定手段と、
上記第２の通信手段により受信した改札情報に基づき、上記無線式記録媒体を回収するか否かを判定する第２の判定手段と、
この第２の判定手段により上記無線式記録媒体の回収を判定した際に、上記取込手段により取込まれた無線式記録媒体を回収する回収手段と、
を具備したことを特徴とする自動改札装置。
【請求項４】
通行者が携帯する改札情報を無線によって送受信する無線式記録媒体との間で無線通信を行うための第１の通信手段と、
この第１の通信手段で受信した改札情報に基づき改札処理を行うことにより、上記通行者の通行可否を決定する第１の通行可否決定手段と、
上記無線式記録媒体を取込む取込手段と、
この取込手段の内部に設けられ、上記取込手段により取込まれた無線式記録媒体との間で無線通信を行うための第２の通信手段と、
この第２の通信手段で受信した改札情報に基づき改札処理を行うことにより、上記通行者の通行可否を決定する第２の通行可否決定手段と、
上記第２の通信手段により受信した改札情報に基づき、上記無線式記録媒体を回収するか返却するかを判定する第２の判定手段と、
この第２の判定手段により上記無線式記録媒体の回収を判定した際に、上記取込手段により取込まれた無線式記録媒体を回収する回収手段と、
上記第２の判定手段により上記無線式記録媒体の返却を判定した際に、上記取込手段により取込まれた無線式記録媒体を返却する返却手段と、
を具備したことを特徴とする自動改札装置。
【請求項５】
通行者が携帯する改札情報を無線によって送受信する無線式記録媒体との間で無線通信を行うための第１の通信手段と、
この第１の通信手段により受信した改札情報に基づき、上記無線式記録媒体を回収するか返却するかを判定する第１の判定手段と、
上記第１の通信手段により受信した改札情報に基づき改札処理を行うことにより、上記通行者の通行可否を決定する第１の通行可否決定手段と、
上記第１の判定手段により上記無線式記録媒体の回収が判定された際に、上記無線式記録媒体が取込まれる取込手段と、
この取込手段の内部に設けられ、上記取込手段により取込まれた無線式記録媒体との間で無線通信を行うための第２の通信手段と、
上記第２の通信手段により受信した改札情報に基づき、上記回収と判定された無線式記録媒体か否かを判定する第２の判定手段と、
この第２の判定手段により上記回収と判定された無線式記録媒体を判定した際に、上記取込手段により取込まれた無線式記録媒体を回収する回収手段と、
上記第２の判定手段により上記無線式記録媒体の返却を判定した際に、上記取込手段により取込まれた無線式記録媒体に対して上記第１の通信手段により通行可にともなう処理がなされているか否かを判定する第３の判定手段と、
この第３の判定手段により通行可にともなう処理がなされていると判定された際に、上記取込手段により取込まれた無線式記録媒体を返却し、上記第３の判定手段により通行可にともなう処理がなされていないと判定された際に、上記取込手段により取込まれた無線式記録媒体に通行可にともなう処理がなされた後に返却する返却手段と、
を具備したことを特徴とする自動改札装置。
【請求項６】
通行者が携帯する改札情報を無線によって送受信する無線式記録媒体との間で無線通信を行うための第１の通信手段と、
この第１の通信手段により受信した改札情報に基づき、上記無線式記録媒体を回収するか否かを判定する第１の判定手段と、
上記第１の通信手段により受信した改札情報に基づき改札処理を行うことにより、上記通行者の通行可否を決定する通行可否決定手段と、
上記第１の判定手段により上記無線式記録媒体の回収と判定された際に、上記無線式記録媒体の回収を案内する案内手段と、
この案内手段による回収の案内に応じて、上記無線式記録媒体を取込む取込手段と、
この取込手段の内部に設けられ、上記取込手段により取込まれた無線式記録媒体との間で無線通信を行うための第２の通信手段と、
上記第２の通信手段により受信した改札情報に基づき、上記回収と判定された無線式記録媒体か否かを判定する第２の判定手段と、
この第２の判定手段により上記回収と判定された無線式記録媒体を判定した際に、上記取込手段により取込まれた無線式記録媒体を回収する回収手段と、
を具備したことを特徴とする自動改札装置。
【請求項７】
通行者が携帯する改札情報を無線によって送受信する無線式記録媒体との間で無線通信を行うための第１の通信手段と、
この第１の通信手段により受信した改札情報に基づき、上記無線式記録媒体を回収するか否かを判定する第１の判定手段と、
上記第１の通信手段により受信した改札情報に基づき改札処理を行うことにより、上記通行者の通行可否を決定する通行可否決定手段と、
上記第１の判定手段により上記無線式記録媒体の回収が判定された際に、上記無線式記録媒体が取込まれる取込手段と、
この取込手段の内部に設けられ、上記取込手段により取込まれた無線式記録媒体との間で無線通信を行うための第２の通信手段と、
上記第２の通信手段により受信した改札情報に基づき、上記回収と判定された無線式記録媒体か否かを判定する第２の判定手段と、
この第２の判定手段により上記回収と判定された無線式記録媒体を判定した際に、上記取込手段により取込まれた無線式記録媒体を回収する回収手段と、
上記通行者の通行を検知する検知手段と、
上記第１の判定手段により上記無線式記録媒体の回収が判定され、上記検知手段により上記通行者の通行が検知され、かつ上記取込手段に無線式記録媒体に取込まれなかった際に、上記通行者の出場を禁止する禁止手段と、
を具備したことを特徴とする自動改札装置。
【請求項８】
通行者が携帯する改札情報を無線によって送受信する無線式記録媒体との間で無線通信を行うための第１の通信手段と、
この第１の通信手段により受信した改札情報に基づき、上記無線式記録媒体を回収するか否かを判定する第１の判定手段と、
上記第１の通信手段により受信した改札情報に基づき改札処理を行うことにより、上記通行者の通行可否を決定する通行可否決定手段と、
上記第１の判定手段により上記無線式記録媒体の回収と判定された際に、上記無線式記録媒体の回収を案内する案内手段と、
この案内手段による回収の案内に応じて、上記無線式記録媒体を取込む取込手段と、
この取込手段の内部に設けられ、上記取込手段により取込まれた無線式記録媒体との間で無線通信を行うための第２の通信手段と、
上記第２の通信手段により受信した改札情報に基づき、上記回収と判定された無線式記録媒体か否かを判定する第２の判定手段と、
この第２の判定手段により上記回収と判定された無線式記録媒体を判定した際に、上記取込手段により取込まれた無線式記録媒体を回収する回収手段と、
上記通行者の通行を検知する検知手段と、
上記第１の判定手段により上記無線式記録媒体の回収が判定され、上記検知手段により上記通行者の通行が検知され、かつ上記取込手段に無線式記録媒体に取込まれなかった際に、上記通行者の出場を禁止する禁止手段と、
を具備したことを特徴とする自動改札装置。
【発明の詳細な説明】
【０００１】
【発明の属する技術分野】
この発明は、たとえば、電車やバスなどの交通機関の駅に設置され、通行者の所持する無線式乗車券（無線式記録媒体）を処理できる自動改札装置に関する。
【０００２】
【従来の技術】
近年、たとえば、鉄道関係において、改札業務の省力化を目的として、鉄道などの施設の入場口あるいは出場口などに設けられ、施設を利用する利用者（通行者）が施設に入場あるいは出場する際、または、施設の乗換えを行う際、利用者が携帯する無線式乗車券としての無線カードが有する改札情報を無線によって送受信することにより検査し、無線カードが正当であれば利用者の通過を許可し、不当であれば利用者の通過を阻止する自動改札装置が導入されている。
【０００３】
この自動改札装置では、アンテナ部分に無線カードをかざすだけで、改札情報の読み書き（送受信）を行い、改札処理を行うことを可能とするようになっている。
【０００４】
これらの、無線カードの対象券種としては、無線カードの金額が高価な事から個人で繰り返し使用される定期券や金額券（ＳＦカード）がなっており、安価な普通乗車券は確実に回収できない事から対象外となっている。
【０００５】
この普通乗車券として無線カードを用いる案としては、スキー場の様に補償金を発売時に受け取り、終了時に精算する方法があるが、短時間にて多くの乗降客を処理する必要がある駅務では採用できないシステムである。
【０００６】
したがって、無線カードによる、アンテナ部分にかざすだけで通過できるという利便性の点から乗車券の無線カード化が待望されているが、現行の１枚１円以下の紙の普通乗車券を無線カードの置き換えた場合、非接触による通過のため、無線カードの確実な回収を行うことができず、定期券と金額券の範囲でシステム開発が進められているのが現状である。
【０００７】
【発明が解決しようとする課題】
上記したように、普通乗車券を無線カードとして用いた際に、回収することができないため、普通乗車券を無線カードとして用いことができないという問題があった。
【０００８】
そこで、この発明は、普通乗車券を無線カードとして用いた際に、確実に回収することができ、普通乗車券を無線カードとして用いることができる自動改札装置を提供することを目的とする。
【０００９】
【課題を解決するための手段】
この発明の自動改札装置は、通行者が携帯する改札情報を無線によって送受信する無線式記録媒体との間で無線通信を行うための第１の通信手段、この第１の通信手段により受信した改札情報に基づき、上記無線式記録媒体を回収するか否かを判定する第１の判定手段、上記第１の通信手段により受信した改札情報に基づき改札処理を行うことにより、上記通行者の通行可否を決定する通行可否決定手段、上記第１の判定手段により上記無線式記録媒体の回収が判定された際に、上記無線式記録媒体が取込まれる取込手段、この取込手段の内部に設けられ、上記取込手段により取込まれた無線式記録媒体との間で無線通信を行うための第２の通信手段、上記第２の通信手段により受信した改札情報に基づき、上記回収と判定された無線式記録媒体か否かを判定する第２の判定手段、この第２の判定手段により上記回収と判定された無線式記録媒体を判定した際に、上記取込手段により取込まれた無線式記録媒体を回収する回収手段、および上記第２の判定手段により上記回収でないと判定された無線式記録媒体を判定した際に、上記取込手段により取込まれた無線式記録媒体を返却する返却手段から構成される。
【００１５】
この発明の自動改札装置は、通行者が携帯する改札情報を無線によって送受信する無線式記録媒体との間で無線通信を行うための第１の通信手段、この第１の通信手段で受信した改札情報に基づき改札処理を行うことにより、上記通行者の通行可否を決定する第１の通行可否決定手段、上記無線式記録媒体を取込む取込手段、この取込手段の内部に設けられ、上記取込手段により取込まれた無線式記録媒体との間で無線通信を行うための第２の通信手段、この第２の通信手段で受信した改札情報に基づき改札処理を行うことにより、上記通行者の通行可否を決定する第２の通行可否決定手段、上記第２の通信手段により受信した改札情報に基づき、上記無線式記録媒体を回収するか否かを判定する第２の判定手段、およびこの第２の判定手段により上記無線式記録媒体の回収を判定した際に、上記取込手段により取込まれた無線式記録媒体を回収する回収手段から構成される。
【００１６】
この発明の自動改札装置は、通行者が携帯する改札情報を無線によって送受信する無線式記録媒体との間で無線通信を行うための第１の通信手段、この第１の通信手段で受信した改札情報に基づき改札処理を行うことにより、上記通行者の通行可否を決定する第１の通行可否決定手段、上記無線式記録媒体を取込む取込手段、この取込手段の内部に設けられ、上記取込手段により取込まれた無線式記録媒体との間で無線通信を行うための第２の通信手段、この第２の通信手段で受信した改札情報に基づき改札処理を行うことにより、上記通行者の通行可否を決定する第２の通行可否決定手段、上記第２の通信手段により受信した改札情報に基づき、上記無線式記録媒体を回収するか返却するかを判定する第２の判定手段、この第２の判定手段により上記無線式記録媒体の回収を判定した際に、上記取込手段により取込まれた無線式記録媒体を回収する回収手段、および上記第２の判定手段により上記無線式記録媒体の返却を判定した際に、上記取込手段により取込まれた無線式記録媒体を返却する返却手段から構成される。
【００１７】
この発明の自動改札装置は、通行者が携帯する改札情報を無線によって送受信する無線式記録媒体との間で無線通信を行うための第１の通信手段、この第１の通信手段により受信した改札情報に基づき、上記無線式記録媒体を回収するか返却するかを判定する第１の判定手段、上記第１の通信手段により受信した改札情報に基づき改札処理を行うことにより、上記通行者の通行可否を決定する第１の通行可否決定手段、上記第１の判定手段により上記無線式記録媒体の回収が判定された際に、上記無線式記録媒体が取込まれる取込手段、この取込手段の内部に設けられ、上記取込手段により取込まれた無線式記録媒体との間で無線通信を行うための第２の通信手段、上記第２の通信手段により受信した改札情報に基づき、上記回収と判定された無線式記録媒体か否かを判定する第２の判定手段、この第２の判定手段により上記回収と判定された無線式記録媒体を判定した際に、上記取込手段により取込まれた無線式記録媒体を回収する回収手段、上記第２の判定手段により上記無線式記録媒体の返却を判定した際に、上記取込手段により取込まれた無線式記録媒体に対して上記第１の通信手段により通行可にともなう処理がなされているか否かを判定する第３の判定手段、およびこの第３の判定手段により通行可にともなう処理がなされていると判定された際に、上記取込手段により取込まれた無線式記録媒体を返却し、上記第３の判定手段により通行可にともなう処理がなされていないと判定された際に、上記取込手段により取込まれた無線式記録媒体に通行可にともなう処理がなされた後に返却する返却手段から構成される。
【００１８】
この発明の自動改札装置は、通行者が携帯する改札情報を無線によって送受信する無線式記録媒体との間で無線通信を行うための第１の通信手段、この第１の通信手段により受信した改札情報に基づき、上記無線式記録媒体を回収するか否かを判定する第１の判定手段、上記第１の通信手段により受信した改札情報に基づき改札処理を行うことにより、上記通行者の通行可否を決定する通行可否決定手段、上記第１の判定手段により上記無線式記録媒体の回収と判定された際に、上記無線式記録媒体の回収を案内する案内手段、この案内手段による回収の案内に応じて、上記無線式記録媒体を取込む取込手段、この取込手段の内部に設けられ、上記取込手段により取込まれた無線式記録媒体との間で無線通信を行うための第２の通信手段、上記第２の通信手段により受信した改札情報に基づき、上記回収と判定された無線式記録媒体か否かを判定する第２の判定手段、およびこの第２の判定手段により上記回収と判定された無線式記録媒体を判定した際に、上記取込手段により取込まれた無線式記録媒体を回収する回収手段から構成される。
【００１９】
この発明の自動改札装置は、通行者が携帯する改札情報を無線によって送受信する無線式記録媒体との間で無線通信を行うための第１の通信手段、この第１の通信手段により受信した改札情報に基づき、上記無線式記録媒体を回収するか否かを判定する第１の判定手段、上記第１の通信手段により受信した改札情報に基づき改札処理を行うことにより、上記通行者の通行可否を決定する通行可否決定手段、上記第１の判定手段により上記無線式記録媒体の回収が判定された際に、上記無線式記録媒体が取込まれる取込手段、この取込手段の内部に設けられ、上記取込手段により取込まれた無線式記録媒体との間で無線通信を行うための第２の通信手段、上記第２の通信手段により受信した改札情報に基づき、上記回収と判定された無線式記録媒体か否かを判定する第２の判定手段、この第２の判定手段により上記回収と判定された無線式記録媒体を判定した際に、上記取込手段により取込まれた無線式記録媒体を回収する回収手段、上記通行者の通行を検知する検知手段、および上記第１の判定手段により上記無線式記録媒体の回収が判定され、上記検知手段により上記通行者の通行が検知され、かつ上記取込手段に無線式記録媒体に取込まれなかった際に、上記通行者の出場を禁止する禁止手段から構成される。
【００２０】
この発明の自動改札装置は、通行者が携帯する改札情報を無線によって送受信する無線式記録媒体との間で無線通信を行うための第１の通信手段、この第１の通信手段により受信した改札情報に基づき、上記無線式記録媒体を回収するか否かを判定する第１の判定手段、上記第１の通信手段により受信した改札情報に基づき改札処理を行うことにより、上記通行者の通行可否を決定する通行可否決定手段、上記第１の判定手段により上記無線式記録媒体の回収と判定された際に、上記無線式記録媒体の回収を案内する案内手段、この案内手段による回収の案内に応じて、上記無線式記録媒体を取込む取込手段、この取込手段の内部に設けられ、上記取込手段により取込まれた無線式記録媒体との間で無線通信を行うための第２の通信手段、上記第２の通信手段により受信した改札情報に基づき、上記回収と判定された無線式記録媒体か否かを判定する第２の判定手段、この第２の判定手段により上記回収と判定された無線式記録媒体を判定した際に、上記取込手段により取込まれた無線式記録媒体を回収する回収手段、上記通行者の通行を検知する検知手段、および上記第１の判定手段により上記無線式記録媒体の回収が判定され、上記検知手段により上記通行者の通行が検知され、かつ上記取込手段に無線式記録媒体に取込まれなかった際に、上記通行者の出場を禁止する禁止手段から構成される。
【００２１】
【発明の実施の形態】
以下、この発明の一実施例について図面を参照して説明する。
図１、図２は、この実施例に係る無線式記録媒体（無線式乗車券）としての無線カード（普通乗車券、定期券、金額券、回数乗車券）Ｃを処理できる出場用の自動改札装置の外観構成を概略的に示すものである。自動改札装置１は、通常、２台１組として駅の改札口などに設置され、両者の間に通行者が通行する通路が形成される。
【００２２】
自動改札装置本体２の上面の一端部には、通行者が携帯し、無線通信によって送受信する機能を備えた無線カードＣとの間で改札情報などを送受信するためのアンテナ３が設けられている。
【００２３】
この改札情報としては、たとえば、発行機関名（会社名）、券種情報、有効期間、乗車（入場）日時、乗車（入場）駅、降車（出場）日時、降車（出場）駅、金額、発行年月日、利用可能回数等であり、各券の発行時や自動改札装置からの受信時に無線カードＣ内の後述するデータメモリ５２に記録されるようになっている。
【００２４】
たとえば、無線カードＣに記録される改札情報としては、発行機関名（会社名）、発券番号、券種情報、発行年月日の他に、普通乗車券の場合、乗車日時、乗車駅、金額、降車済み情報などが記録され、定期券の場合、有効期間、乗車日時、乗車駅（降車日時、降車駅）などが記録され、金額券（ＳＦカード；ストアードフェアカード）の場合、残金額、乗車日時、乗車駅（降車日時、降車駅）などが記録され、回数乗車券の場合、有効期間、利用可能回数（残回数）、乗車日時、乗車駅（降車日時、降車駅）などが記録される。
【００２５】
このアンテナ３の前方には、無線カードＣが投入される投入部としての投入口４が設けられ、この投入口４のさらに前方には、投入口４から受入れた無線カードＣを排出する取出口５が設けられている。
【００２６】
本体２上の取出口５の前方には、通行者や駅員などに対して案内を行うためのプラズマディスプレイにより構成されている案内表示部６が設けられている。
また、本体２の通路側の側面の両端部には、それぞれ通行者の通行を制御する開閉動作可能なドア７、７が設けられており、通行可否の判定結果に基づき、このドア７、７が開閉制御されるようになっている。
【００２７】
本体２の上部には、通行者の通路を定義するための枠状のポール部（枠体）８が立設されている。そして、本体２の各通路側の側面には、通行者検知手段としての複数の光学的なセンサ、たとえば、進入検知器９、１０、中央通過検知器１１、１２、および、出口検知器１３、１４がそれぞれ設けられている。進入検知器９、１０は、アンテナ３の部分を通過する通行者を検知し、中央通過検知器１１、１２は、通路の中央部を通過する通行者を検知し、出口検知器１３、１４は、案内表示部６の部分を通過する通行者を検知するものである。
【００２８】
また、本体２の通路側の側面の中央部には、音声案内部としてのスピーカー１５が設けられている。
また、図１に示すように、上記投入口４と取出口５とが対向する本体２の内部には、無線カード処理ユニット１６が設けら、この無線カード処理ユニット１６の下部には無線カードＣを回収する回収箱１７が設けられれている。
【００２９】
この無線カード処理ユニット１６は、投入口４と取出口５との間には、投入口４から投入された無線カードＣを取出口５へ搬送するための搬送路２１が形成されている。この搬送路２１は、伸縮自在の弾性部材で無線カードＣを挟持する搬送ベルトあるいは搬送ローラ等によって構成され、厚さ１ｍｍ弱から数ｃｍの無線カードＣを搬送することができるとともに、投入口４から投入された無線カードＣを取出口５側へ搬送するようになっている。上記搬送路２１の投入口４の近傍と取出口５の近傍とにそれぞれ検知器２２、２３が設けられている。この検知器２２により投入口４へ無線カードＣの投入が検知され、検知器２３により無線カードＣの取出口５からの取出しが検知されるようになっている。各検知器２２、２３は、たとえば、光源と受光素子とからなる光学的なセンサであり、無線カードＣが光源と受光素子との間を通過したときの遮光により無線カードＣを検知するようになっている。
【００３０】
搬送路２１上には、投入口４から取出口５までの間に、無線カードＣとの間で改札情報などを送受信するためのアンテナ２４が設けられている。
搬送路２１上には、無線カードＣを振り分ける振分ゲート２５が設けられている。振分ゲート２５は、回収しない無線カードＣの場合に、その無線カードＣを取出口５の方向に振り分け、また、投入された無線カードＣが回収（集札）すべきものであった場合に、その無線カードＣを回収箱１７の方向へ振り分けるものである。
【００３１】
この振分ゲート２５により回収箱１７の方向へ振り分けられた無線カードＣは、回収用の搬送路２６を介して回収箱１７へ搬送されるようになっている。搬送路２６の回収箱１７の近傍に検知器２７が設けられている。この検知器２７により回収箱１７への無線カードＣの回収が光学的に検知されるようになっている。
【００３２】
図３は、上記のように構成された自動改札装置の制御系統の構成を示すものである。すなわち、この制御系統は、自動改札装置全体の制御を司るＣＰＵ（セントラル・プロセッシング・ユニット）３１、ＣＰＵ３１の制御プログラムなどを記憶しているＲＯＭ（リード・オンリ・メモリ）３２、無線カードＣから読取った情報の記憶、および、制御プログラムのバッファとして情報を記憶する記憶手段としてのＲＡＭ（ランダム・アクセス・メモリ）３３、無線カードＣの使用が開始された乗車駅（あるいは、乗車駅に対応した乗車駅コード）に対応した運賃情報を記憶している運賃メモリ３４、無線カードＣとの間で上記アンテナ３を介して改札情報の送受信を行う変復調回路を有する送受信回路３５、上記表示部６を制御する表示制御回路３６、上記ドア７を駆動するドア開閉機構３７を制御するドア制御回路３８、上記検知器９、〜１４の各検知出力に基づき通行者の通過状況などを検知する人間検知器制御回路３９、上記搬送路２１、２６などの搬送系を駆動する搬送用モータ４０を駆動制御する搬送制御回路４１、上記振分ゲート２５を切換えるソレノイド２５ａを駆動制御するゲート制御回路４２、上記検知器２２、２３、２７の各検知出力に基づき無線カードＣの搬送状況などを検知する検知回路４３、無線カードＣとの間で上記アンテナ２４を介して改札情報の送受信を行う変復調回路を有する送受信回路４４、および、本装置を制御する図示しないホスト装置としてのホストコンピュータとの間で情報の伝送を行う伝送制御回路４５などから構成されている。
【００３３】
上記搬送路２１、２６、検知器２２、２３、２７、アンテナ２４、振分ゲート２５、搬送用モータ４０、上記搬送制御回路４１、ゲート制御回路４２、検知回路４３、および送受信回路４４により、上記無線カード処理ユニット１６が構成されている。
【００３４】
図４は、上記無線カードＣの構成を概略的に示すものである。すなわち、無線カードＣは、全体的な制御を司るＣＰＵ５１、ＣＰＵ５１の制御プログラム、改札情報などを記憶するデータメモリ５２、送受信切換部５３、自動改札装置１からの各種情報を受信する受信部５４、受信部５４からの受信信号を復調する復調部５５、送信情報を変調する変調部５６、変調部５６によって変調された信号を電波に変換して自動改札装置１に向けて送信する送信部５７、および、各部に必要な電力を供給するバッテリ５８などを具備している。
【００３５】
なお、無線カードＣの上述した各要素は、１つあるいは複数のＩＣチップで構成され、１つの基板上に配置されて全体形状をカード状としている。
また、入場用の自動改札装置は、上記出場用の自動改札装置と同じ構成であっても、また無線カードユニットのないものであっても良い。
【００３６】
次に、上記のような構成において、入場用の自動改札装置１における乗車時の動作を説明する。
すなわち、無線カードＣがアンテナ３の通信エリア内に提示された際、送受信回路３５は、アンテナ３を介して無線カードＣとの間で通信を行うことにより、無線カードＣのデータメモリ５２に記憶されている改札情報を読取り、ＣＰＵ５１に送る。
【００３７】
まず、ＣＰＵ５１は、上記供給される改札情報内の発行機関名がこの自動改札装置１が取扱う発行機関名と一致するか否かで、その無線カードＣの有効性を判定し、その判定の結果、有効であれば、無線カードＣのデータメモリ５２に対して乗車日時および乗車駅などの乗車情報を書込むために、送受信回路３５からアンテナ３を介して無線カードＣに対して上記乗車情報を送信する。この際、無線カードＣが普通乗車券、定期券の場合は、乗車日時および乗車駅などの乗車情報のみを送信するが、無線カードＣが金額券の場合には、最低区間料金を引き去った残金額も送信し、無線カードＣが回数券の場合には、利用可能回数を１回分減算した利用可能回数も送信する。
【００３８】
これにより、無線カードＣが、普通乗車券、定期券の場合は、データメモリ５２に乗車日時および乗車駅などの乗車情報が書き込まれ、金額券の場合は、上記乗車情報が書き込まれるとともに、送信されてきた残金額が更新記録され、回数券の場合は、上記乗車情報が書き込まれるとともに、送信されてきた利用可能回数が更新記録される。
【００３９】
また、無線カードＣが有効であると判定されると、ＣＰＵ５１は、進行方向側（出口側）のドア７を開き、通行者の通行を許可するとともに、無線カードＣの提示の待機状態に戻る。
【００４０】
上記判定処理において、無線カードＣが有効でないと判定された場合、ＣＰＵ５１は、進行方向側のドア７を閉じて通行者の通行を阻止し、案内表示部６にドア閉となった理由などを表示する。そして、通行を阻止された通行者が通路を戻って入口側から外へでたか否かをチェックし、外へでていれば、無線カードＣの提示の待機状態に戻る。
【００４１】
次に、上記のような構成において、出場用の自動改札装置１における出場時の動作を、図５、図６に示すフローチャートを参照して動作を説明する。
すなわち、無線カードＣがアンテナ３の通信エリア内に提示された際、送受信回路３５は、アンテナ３を介して無線カードＣとの間で通信を行うことにより、無線カードＣのデータメモリ５２に記憶されている改札情報を読取り、ＣＰＵ５１に送る（ＳＴ１）。
【００４２】
これにより、ＣＰＵ５１は、上記供給される改札情報により無線カードＣが正常か否かを判断する（ＳＴ２）。上記供給される改札情報内の発行機関名がこの自動改札装置１が取扱う発行機関名と一致するか否か、あるいは有効期間内か、有効区間内か、金額が最低区間料金以上か、利用可能回数が「１」以上か等が判断される。この判断の結果、無線カードＣが異常と判断された際、ＣＰＵ５１は、進行方向側のドア７を閉じて通行者の通行を阻止し、案内表示部６にドア閉となった理由などを表示する（ＳＴ３）。そして、通行を阻止された通行者が通路を戻って入口側から外へでたか否かをチェックし、外へでていれば、無線カードＣの提示の待機状態に戻る。
【００４３】
また、上記ステップ２により、無線カードＣが正常と判断された際に、ＣＰＵ５１は、供給される改札情報内の券種情報により、無線カードＣが乗車券等の回収券か否かが判断され（ＳＴ４）、金額券か否かが判断され（ＳＴ５）、回数券か否かが判断される（ＳＴ６）。
【００４４】
このステップ５により無線カードＣが金額券と判断された際に、ＣＰＵ５１は乗車情報に対応して運賃メモリ３４から運賃を読取り、この読取った運賃からあらかじめ差し引かれている最低区間料金を差し引いた料金で残金額を更新し、この更新した残金額と出場済み情報を送受信回路３５からアンテナ３を介して無線カードＣに対して送信する（ＳＴ７）。
【００４５】
これにより、無線カードＣでは、供給される残金額でデータメモリ８２の残金額が更新され、さらに供給される出場済み情報によりデータメモリ８２に降車日時および降車駅が記録される（出場済み記録）（ＳＴ８）。
【００４６】
また、ＣＰＵ５１は、無線カードＣとのデータのやり取りが正常に行われたと判定されると、進行方向側（出口側）のドア７を開き、通行者の通行を許可するとともに（ＳＴ９）、ステップ１へ戻り、無線カードＣの提示の待機状態に戻る。
【００４７】
またステップ６により無線カードＣが回数券と判断された際に、ＣＰＵ５１は利用可能回数が「０」か否かにより、回収するか否かが判断され（ＳＴ１０）、利用可能回数が「０」の場合、ステップ１３へ進み、利用可能回数が「０」以外の場合、出場済み情報を送受信回路３５からアンテナ３を介して無線カードＣに対して送信する（ＳＴ１１）。
【００４８】
これにより、無線カードＣでは、供給される出場済み情報によりデータメモリ８２に降車日時および降車駅が記録される（出場済み記録）（ＳＴ８）。
また、ＣＰＵ５１は、無線カードＣとのデータのやり取りが正常に行われたと判定されると、進行方向側（出口側）のドア７を開き、通行者の通行を許可するとともに（ＳＴ９）、ステップ１へ戻り、無線カードＣの提示の待機状態に戻る。
【００４９】
またステップ６により無線カードＣが定期券と判断された際に、ＣＰＵ５１は出場済み情報を送受信回路３５からアンテナ３を介して無線カードＣに対して送信する（ＳＴ１１）。
【００５０】
これにより、無線カードＣでは、供給される出場済み情報によりデータメモリ８２に降車日時および降車駅が記録される（出場済み記録）（ＳＴ８）。
また、ＣＰＵ５１は、無線カードＣとのデータのやり取りが正常に行われたと判定されると、進行方向側（出口側）のドア７を開き、通行者の通行を許可するとともに（ＳＴ９）、ステップ１へ戻り、無線カードＣの提示の待機状態に戻る。
【００５１】
また、上記ステップ１において、無線カードＣとの交信が行われていない際、ＣＰＵ５１は、検知器２２からの検知信号により、投入口４への無線カードＣの投入を判断する（ＳＴ１２）。この判断の結果、投入口４へ無線カードＣが投入されている場合、ステップ１５へ進み、投入口４へ無線カードＣが投入されていない場合、ステップ１へ戻り、無線カードＣの提示の待機状態に戻る。
【００５２】
また、上記ステップ４において、乗車券等の回収券と判断された場合、ＣＰＵ５１は、案内表示部６により無線カードＣの投入口４への投入を案内する（ＳＴ１３）。
【００５３】
この案内に応じて、ＣＰＵ５１は、検知器２２からの検知信号により、投入口４への無線カードＣの投入を判断する（ＳＴ１４）。この結果、あるいは上記ステップ１０により、投入口４への無線カードＣの投入が判断されている場合、ＣＰＵ５１は、搬送用モータ４０を駆動制御することにより、無線カードＣをアンテナ２４の対向位置に搬送する（ＳＴ１５）。
【００５４】
これにより、無線カードＣがアンテナ２４の通信エリア内に提示された際、送受信回路４４は、アンテナ２４を介して無線カードＣとの間で通信を行うことにより、無線カードＣのデータメモリ５２に記憶されている改札情報を読取り、ＣＰＵ５１に送る（ＳＴ１６）。
【００５５】
これにより、ＣＰＵ５１は、上記供給される改札情報により無線カードＣが正常か否かを判断する（ＳＴ１７）。上記供給される改札情報内の発行機関名がこの自動改札装置１が取扱う発行機関名と一致するか否か、あるいは有効期間内か、有効区間内か、金額が最低区間料金以上か、利用可能回数が「１」以上か等が判断される。この判断の結果、無線カードＣが異常と判断された際、ＣＰＵ５１は、投入された無線カードＣをさらに搬送し、返却口５から返却するとともに（ＳＴ１８）、進行方向側のドア７を閉じて通行者の通行を阻止し、案内表示部６にドア閉となった理由として”無線カードを投入口へ投入して下さい”を表示するとともに、スピーカー１５によりその音声案内を行う（ＳＴ１９）。そして、通行を阻止された通行者が通路を戻って入口側から外へでたか否かをチェックし、外へでていれば、無線カードＣの提示の待機状態に戻る。
【００５６】
また、上記ステップ１６により、無線カードＣとＣＰＵ５１との間で通信処理がなされ、データメモリ８２に降車日時および降車駅が記録される（出場済み記録）。
【００５７】
また、上記ステップ１４により、無線カードＣの投入が判断されなかった際に、ＣＰＵ５１は、検知器９〜１４からの検知信号により、通行者の通過状態を判断し、たとえば通路の中央部を通過していると判断した場合に（ＳＴ２０）、進行方向側のドア７を閉じて通行者の通行を阻止し、案内表示部６にドア閉となった理由として”無線カードを投入口へ投入して下さい”を表示するとともに、スピーカー１５によりその音声案内を行う（ＳＴ１９）。そして、通行を阻止された通行者が通路を戻って入口側から外へでたか否かをチェックし、外へでていれば、無線カードＣの提示の待機状態に戻る。
【００５８】
また、上記ステップ１７により、無線カードＣが正常と判断された際に、ＣＰＵ５１は、供給される改札情報内の券種情報、利用可能回数により、無線カードＣが乗車券、使用済みの回数券等の回収券か否かが判断される（ＳＴ２１）。この結果、無線カードＣが定期券、金額券、あるいは利用可能回数の残っている回数券と判断された場合、ＣＰＵ５１は、その無線カードＣに対する出場処理が既に済んでいるか否かを判断する（ＳＴ２２）。そして、出場処理が既に済んでいる場合、ＣＰＵ５１は、投入された無線カードＣをさらに搬送し、返却口５から返却するとともに（ＳＴ２３）、進行方向側（出口側）のドア７を開き、通行者の通行を許可するとともに（ＳＴ９）、ステップ１へ戻り、無線カードＣの提示の待機状態に戻る。
【００５９】
出場処理つまり出場済み記録が済んでいない場合、ＣＰＵ５１は、出場済み情報を無線カードＣに送信して出場済み記録がなされた後（ＳＴ２４）、投入された無線カードＣをさらに搬送し、返却口５から返却するとともに（ＳＴ２３）、進行方向側（出口側）のドア７を開き、通行者の通行を許可するとともに（ＳＴ９）、ステップ１へ戻り、無線カードＣの提示の待機状態に戻る。
【００６０】
また、上記ステップ２１により、無線カードＣが乗車券、使用済みの回数券等の回収券と判断された際、ＣＰＵ５１は、振分ゲート２５を回収箱１７側へ切換制御する（ＳＴ２５）。これにより、無線カードＣが振分ゲート２５により回収箱１７側へ搬送され、回収箱１７に回収される（ＳＴ２６）。また、ＣＰＵ５１は、進行方向側（出口側）のドア７を開き、通行者の通行を許可するとともに（ＳＴ９）、ステップ１へ戻り、無線カードＣの提示の待機状態に戻る。
【００６１】
上記の実施例では、定期券や金額券による利用客は、アンテナ３に所有している無線カードＣをかざすことにより、自動改札装置１の本体２のＣＰＵ５１とデータの交信を行い、所定のデータの書換が行われた後、ドア７、が開かれ出場を行うことができる。この点は、現在実用化されている自動改札装置と同じである。
【００６２】
次に、普通乗車券の無線カードＣを所有する利用客が出場する場合、その無線カードＣをアンテナ３にかざすことにより、ＣＰＵ５１は無線カードＣのデータより普通乗車券の出場であることを検出し、スピーカー１５により音声案内を行うとともに、案内表示部６により”無線カードを投入口へ投入して下さい”の案内表示を行う。
【００６３】
この案内により、利用客が無線カードＣを投入口４へ投入することにより、無線カード処理ユニット１６は無線カードＣを内部のアンテナ２４の位置へ搬送する。
【００６４】
このアンテナ２４により、ＣＰＵ５１は無線カードＣの情報を読み取り、再度、無線カードＣの情報の判定を行い、普通乗車券と判定した場合は、振分ゲート２５を回収側へ切り換え、無線カードＣを搬送路２６へ搬送し、回収箱１７へ回収するよう制御を行うとともに、ドア７を開き、利用客の出場を許可するよう構成している。
【００６５】
また、アンテナ２４で読み取った情報が、正しい普通乗車券でない場合は、振分ゲート２５を返却側へ切り換え、無線カードＣを返却口５ヘ放出する。同時に表示案内部６、スピーカー１５により正しい乗車券を投入するよう案内を行うととともに、ドア７は閉とするよう構成している。
【００６６】
このように、投入口４と無線カード処理ユニット１６により、普通乗車券を無線カードＣとした場合にも出場時に的確に、自動改札装置１内へ回収可能としている。
【００６７】
また、定期券や金額券の無線カードＣを所有する利用客が、無線カードＣをアンテナ３ヘかざさないで、誤って投入口４ヘ投入した場合にも正常に処理するよう構成している。
【００６８】
ＣＰＵ５１は、無線カードＣがアンテナ３にて通信を行わないで、無線カード処理ユニット１６ヘ投入された場合にも、無線カードＣと通信処理を行うよう構成している。
【００６９】
この場合、無線カードＣが定期券や金額券の場合は、所定の処理を行った後、無線カードＣを返却口５へ送出し、利用客ヘ返却するとともに、ドア７を開いて通過を可能としている。
【００７０】
また、無線カードＣが乗車券の場合は、前述した普通乗車券の処理と同じく、普通乗車券を回収箱１７へ回収するとともにドア７が開いて出場を可能としている。
【００７１】
なお、上記の例はドアの開閉モードが常時閉（正しいときドアを開いて通行を許可するし通過後閉じる）の場合で説明したが、開閉モードは常時開の場合も同様に処理可能である。以下に制御の相違点について記載する。
【００７２】
常時開の場合は、普通乗車券の無線カードＣをアンテナ３にかざした後、ドア７が開いていることから誤つて、無線カードＣを所有して出場を行うことが考えられる。ＣＰＵ５１は自動改札装置１ヘ入場した利用客が検知器１１、１２を遮ることにより、自動改札装置１の中央部の通過が検知され、無線カードＣを投入口４ヘ投入しないで出場を行っていると判定し、直ちにドア７を閉じるとともに、表示案内部６、スピーカー１５により、普通乗車券の磁気カードＣを投入口４ヘ投入するよう案内するよう構成している。
【００７３】
上記したように、通行者が携帯する改札情報を無線によって送受信する無線カードを取込み、この取込まれた無線カードとの間で無線通信を行い、この受信した改札情報に基づき改札処理を行うことにより、通行者の通行可否を決定し、受信した改札情報に基づき、無線カードを回収するか否かを判定し、無線カードの回収を判定した際に、取込まれた無線カードを回収するようにしたものである。
【００７４】
これにより、普通乗車券類を無線カード化した場合にも、使用終了後の無線カードを的確に回収することが可能となる。これにより、普通乗車券として用いた無線カードの回収という最大のポイントが解消されたことになり、全ての券を無線カード化することが可能となり、利用客にとって定期券や金額券の利用者のみが受けていた利便性を受けることが可能となる。
【００７５】
また、全ての乗車券類（普通乗車券、定期券、金額券、回数券）を無線カード化できることにより、現在の自動改札装置内に装備されている普通乗車券の磁気処理を行う複雑な搬送ユニットが不要となり、製品コストの低減、保守作業の軽減、信頼性の向上等、ユーザーにとっても有益なシステムを提供可能となる。
【００７６】
また、無線カードの寿命は５年以上と言われており、毎日のリサイクル使用が可能となる。これにより、現在鉄道に利用客の約７割が定期券等で、残りの３割が普通乗車券の利用客と推定されており、毎日廃棄される膨大な普通乗車券を無くすことが可能となり、環境や資源保全への貢献が図れる。
【００７７】
【発明の効果】
以上詳述したようにこの発明によれば、普通乗車券を無線カードとして用いた際に、確実に回収することができ、普通乗車券を無線カードとして用いることができる自動改札装置を提供できる。
【図面の簡単な説明】
【図１】この発明の一実施例の自動改札装置の内部構成を概略的に示す側面図。
【図２】自動改札装置の外観を概略的に示す上面図。
【図３】自動改札装置の制御系統の構成を概略的に示すブロック図。
【図４】無線カードの構成を概略的に示すブロック図。
【図５】自動改札装置の無線カードに関する処理動作を説明するためのフローチャート。
【図６】自動改札装置の無線カードに関する処理動作を説明するためのフローチャート。
【符号の説明】
１…自動改札装置
２…自動改札装置本体
３…アンテナ
４…投入口（投入部）
５…取出口
６…案内表示部
７…ドア
９〜１４…検知器
１５…スピーカー
１７…回収箱
２１…搬送路
２２、２３、２７…検知器
２４…アンテナ
２５…振分ゲート
５１…ＣＰＵ
Ｃ…無線カード（無線式記録媒体）
【図１】
0003802137.tif 000002
【図２】
0003802137.tif 000003
【図３】
0003802137.tif 000004
【図４】
0003802137.tif 000005
【図５】
0003802137.tif 000006
【図６】
0003802137.tif 000007